(57)【要約】 【課題】  高速な出力制御が実現可能な光増幅器を提供する。【解決手段】  分岐光Ｓｍ１を入力して、分岐光Ｓｍ１の強度に応じた電流に変換して第１光検出信号Ｓｇ１を発生し、第１光検出信号Ｓｇ１を出力する第１光電変換素子２１と、第１光検出信号Ｓｇ１に対して電流−電圧変換を行って第２光検出信号Ｓｇ２を生成し、第２光検出信号Ｓｇ２を出力する第１電流電圧変換回路２５と、第２光検出信号Ｓｇ２を入力して光ファイバ６で発生する自然放出増幅光に基づくアナログ補正を加え、第３光検出信号Ｓｇ３を生成し、第３光検出信号Ｓｇ３を出力する第１ＡＳＥ補正部３１を備える。【選択図】  図１
2010199213.tif 000002
【特許請求の範囲】
【請求項１】
入力された入力信号光を光増幅媒体により光増幅して出力信号光を生成し、前記出力信号光を出力する光増幅器であって、
前記入力信号光を入力して、前記入力信号光の強度に応じた電流に変換して第１光検出信号を生成し、前記第１光検出信号を出力する第１光電変換素子と、
前記第１光検出信号に対して電流−電圧変換を行って第２光検出信号を生成し、前記第２光検出信号を出力する第１電流−電圧変換手段と、
前記第２光検出信号を入力して前記光増幅媒体で発生する自然放出増幅光に基づくアナログ補正を加えて第３光検出信号を生成し、前記第３光検出信号を出力する第１ＡＳＥ補正部と、
前記出力信号光を入力して、前記出力信号光の強度に応じた電流に変換して第４光検出信号を生成し、前記第４光検出信号を出力する第２光電変換素子と、
前記第４光検出信号に対して電流−電圧変換を行って第５光検出信号を生成し、前記第５光検出信号を出力する第２電流−電圧変換手段と、
前記第５光検出信号を入力して前記光増幅媒体で発生する自然放出増幅光に基づくアナログ補正を加えて第６光検出信号を生成し、前記第６光検出信号を出力する第２ＡＳＥ補正部と、
前記入力信号光を光増幅するための励起光を前記光増幅媒体に出力する励起光源と、
前記第３光検出信号及び前記第６光検出信号に基づいて前記励起光源より前記光増幅媒体に出力される励起光のパワーを調整する制御部と、
を備えることを特徴とする光増幅器。
【請求項２】
前記第１電流−電圧変換手段から出力された前記第２光検出信号をモニタすると共に、モニタされた前記第２光検出信号に対してアナログ−デジタル変換を行って第１デジタル信号を生成し、前記第１デジタル信号を出力する第１モニタ部と、
前記第２電流−電圧変換手段から出力された前記第５光検出信号をモニタすると共に、モニタされた前記第５光検出信号に対してアナログ−デジタル変換を行って第２デジタル信号を生成し、前記第２デジタル信号を出力する第２モニタ部と、
を更に備えることを特徴とする請求項１に記載の光増幅器。
【請求項３】
第１電流−電圧変換手段に第１オフセット電圧を出力する第１オフセット発生部と、
第２電流−電圧変換手段に第２オフセット電圧を出力する第２オフセット発生部と、
を更に備える請求項１又は２に記載の光増幅器。
【発明の詳細な説明】
【技術分野】
【０００１】
本発明は、光増幅器に関する。
【背景技術】
【０００２】
フォトニックネットワークを構成する上では、高速通信路から情報を抜き出したり、情報を通信路に乗せたりするためのＯＡＤＭ（Optical Add Drop Multiplexer）や光ファイバーにおいてデータ伝送のための光通信路を自由に設定するためのＯＸＣ（Optical cross-connect）の導入が不可欠である。また、ＯＡＤＭやＯＸＣをフォトニックネットワークに導入するには、伝送路やルーティングに使用される光部品等における光損失を補償する光増幅器が必須である。
【０００３】
そこに適用される光増幅器は、信頼性の高い安定した光ネットワークを構築する為に、信号波数の変動があった場合に光増幅器の出力に発生する過渡応答特性であるオーバーシュートやアンダーシュートを抑えることが求められる。このようなオーバーシュートやアンダーシュートを抑えるためには、光増幅器の出力制御を高速に行う必要がある。
【発明の概要】
【発明が解決しようとする課題】
【０００４】
本発明は、このような問題を鑑みてなされたものであり、高速な応答特性が実現可能な光増幅器を提供することをその目的とする。
【課題を解決するための手段】
【０００５】
上述の課題を解決するため、本発明に係る光増幅器では、入力された入力信号光を光増幅媒体により光増幅して出力信号光を生成し、出力信号光を出力する光増幅器であって、入力信号光を入力して、入力信号光の強度に応じた電流に変換して第１光検出信号を生成し、第１光検出信号を出力する第１光電変換素子と、第１光検出信号に対して電流−電圧変換を行って第２光検出信号を生成し、第２光検出信号を出力する第１電流−電圧変換手段と、第２光検出信号を入力して光増幅媒体で発生する自然放出増幅光に基づくアナログ補正を加えて第３光検出信号を生成し、第３光検出信号を出力する第１ＡＳＥ補正部と、出力信号光を入力して、出力信号光の強度に応じた電流に変換して第４光検出信号を生成し、第４光検出信号を出力する第２光電変換素子と、第４光検出信号に対して電流−電圧変換を行って第５光検出信号を生成し、第５光検出信号を出力する第２電流−電圧変換手段と、第５光検出信号を入力して光増幅媒体で発生する自然放出増幅光に基づくアナログ補正を加えて第６光検出信号を生成し、第６光検出信号を出力する第２ＡＳＥ補正部と、入力信号光を光増幅するための励起光を光増幅媒体に出力する励起光源と、第３光検出信号及び第６光検出信号に基づいて励起光源より光増幅媒体に出力される励起光のパワーを調整する制御部と、を備えることを特徴とする。
【０００６】
本発明に係る光増幅器では、入力信号光に対応する第１光検出信号を電流−電圧変換して第２光検出信号を出力する第１電流−電圧変換手段と、第２光検出信号を入力して光増幅媒体で発生する自然放出増幅光に基づくアナログ補正を加えて第３光検出信号を生成し、第３光検出信号を出力する第１ＡＳＥ補正部とを備える。また、出力信号光に対応する第４光検出信号を電流−電圧変換して第５光検出信号を出力する第２電流−電圧変換手段と、第５光検出信号を入力して光増幅媒体で発生する自然放出増幅光に基づくアナログ補正を加えて第６光検出信号を生成し、第６光検出信号を出力する第２ＡＳＥ補正部とを備える。従って、デジタル制御による演算を行うことなく、光増幅がアナログ回路で実現でき、高速な応答特性が実現できる。
【０００７】
また、第１電流−電圧変換手段から出力された第２光検出信号をモニタすると共に、モニタされた第２光検出信号に対してアナログ−デジタル変換を行って第１デジタル信号を生成し、第１デジタル信号を出力する第１モニタ部と、第２電流−電圧変換手段から出力された第５光検出信号をモニタすると共に、モニタされた第５光検出信号に対してアナログ−デジタル変換を行って第２デジタル信号を生成し、第２デジタル信号を出力する第２モニタ部と、を更に備えることが好適である。これにより、自己の状態監視をデジタル回路で実現することができる。
【０００８】
また、第１電流−電圧変換手段に第１オフセット電圧を出力する第１オフセット発生部と、第２電流−電圧変換手段に第２オフセット電圧を出力する第２オフセット発生回路と、を更に備えることが好適である。これにより、電流電圧変換手段で生成される電圧信号を所定の電圧範囲に収めることができる。その結果、後段の第１及び第２のＡＳＥ補正部における処理を円滑化することができる。
【発明の効果】
【０００９】
本発明によれば、高速な出力制御が実現可能な光増幅器が提供される。
【図面の簡単な説明】
【００１０】
【図１】本実施形態に係る光増幅器の構成を概略的に示すブロック図である。
【発明を実施するための形態】
【００１１】
以下、添付図面を参照して本発明に係る光増幅器の好適な実施形態について詳細に説明する。なお、図面の説明において、同一要素には同一符号を付し、重複する説明を省略する。
【００１２】
図１は、本実施形態に係る光増幅器１の構成を概略的に示すブロック図である。この光増幅器１は、光伝送路により入力コネクタを介して受ける信号光を、以下に示す構成により増幅し、出力コネクタを介して光伝送路へ提供する。
【００１３】
光増幅器１は、光分岐器３，７、光合波器５、光ファイバ（光増幅媒体）６、入力コネクタ１１、出力コネクタ１３、光電変換素子２１，４１、オフセット発生回路２３，４３、電流電圧変換回路２５，４５、モニタ回路２７，４７、ＡＳＥ補正量設定部２９，４９、ＡＳＥ補正部３１,５１、ＧＡＩＮ補正部５３、利得制御部６１、定電流制御回路６３及び励起光源６５を備える。
【００１４】
光分岐器３は、入力端子３ａ、第１出力端子３ｂ、及び第２出力端子３ｃを有している。入力端子３ａは、光ファイバ１０１ａを介して入力コネクタ１１と光学的に結合されている。光分岐器３は、入力信号光Ｓｉｎを入力端子３ａに入力して、信号光Ｓ０及び分岐光Ｓｍ１に分岐し、信号光Ｓ０及び分岐光Ｓｍ１をそれぞれ第１出力端子３ｂ及び第２出力端子３ｃから出力する。第１出力端子３ｂは、光ファイバ１０１ｂを介して光合波器５に光学的に結合されており、信号光Ｓ０を光合波器５へ提供する。第２出力端子３ｃは、光ファイバ１０１ｃを介して光電変換素子２１の入力端子に光学的に結合されており、分岐光Ｓｍ１を光電変換素子２１へ提供する。
【００１５】
光電変換素子２１は、例えばフォトダイオードであり、光ファイバ１０１ｃを介して入力された分岐光Ｓｍ１の強度に応じた電流に変換して第１光検出信号Ｓｇ１を生成する。光電変換素子２１は、生成された第１光検出信号Ｓｇ１を電流電圧変換回路２５へ出力する。
【００１６】
オフセット発生回路２３は、電流電圧変換回路２５の入力オフセット電圧の絶対値よりも大きな値のオフセット電圧Ｖｏｆｆ１を生成し、生成されたオフセット電圧Ｖｏｆｆ１を電流電圧変換回路２５へ出力する。
【００１７】
電流電圧変換回路２５は、光電変換素子２１からの第１光検出信号Ｓｇ１とオフセット発生回路２３からのオフセット電圧Ｖｏｆｆ１とを入力し、オフセット電圧Ｖｏｆｆ１のレベルを基準にして第１光検出信号Ｓｇ１に対して電流−電圧変換を行って第２光検出信号Ｓｇ２を生成する。電流電圧変換回路２５は、生成された第２光検出信号Ｓｇ２をＡＳＥ補正部３１に出力する。
【００１８】
モニタ回路２７は、電流電圧変換回路２５から出力された第２光検出信号Ｓｇ２をモニタすると共に、モニタされた第２光検出信号Ｓｇ２に対してアナログ−デジタル変換を行って第１デジタル信号を生成する。また、第１デジタル信号が所定値以下である場合にはデジタル信号ＩＮＬｍｏｎを、第１デジタル信号が所定値以上である場合にはデジタル信号ＩＮＨｍｏｎを上位システムへ出力する。
【００１９】
ＡＳＥ補正量設定部２９は、電圧源、抵抗を含んでおり、光ファイバ６で発生する自然放出増幅光（ＡＳＥ光）に基づく予め設定された定数値ＰＡＳＥ１を決定する。ＡＳＥ補正量設定部２９は、その決定された定数値ＰＡＳＥ１をＡＳＥ補正部３１に出力する。
【００２０】
ＡＳＥ補正部３１は、ＡＳＥ補正量設定部２９から入力された定数値ＰＡＳＥ１に基づいて、電流電圧変換回路２５から入力された第２光検出信号Ｓｇ２に対するアナログ補正を行って第３光検出信号Ｓｇ３を生成し、生成された第３光検出信号Ｓｇ３を利得制御部６１に出力する。
【００２１】
光合波器５は、第１入力端子５ａ、第２入力端子５ｂ、及び出力端子５ｃを有している。第１入力端子５ａは、光ファイバ１０１ｂを介して光分岐器３の第１出力端子３ｂに光学的に結合されている。第２入力端子５ｂは、光ファイバ１０１ｄを介して励起光源６５に光学的に結合されている。光合波器５の出力端子５ｃは、光ファイバ６の一端に光学的に結合されている。そして、光合波器５は、第１入力端子５ａに入力された光分岐器３からの信号光Ｓ０と、第２入力端子５ｂに入力された励起光源６５の励起光Ｓｔとを合波し、出力端子５ｃより光ファイバ６の一端へ出力する。
【００２２】
光ファイバ６は、その一端が光合波器５の出力端子５ｃに、他端が光分岐器７に、それぞれ光学的に結合されている。光ファイバ６は、信号光Ｓ０と励起光Ｓｔとの合波光をその一端に入力して信号光Ｓ０を増幅し、増幅された信号光Ｓａｍｐを他端より光分岐器７へ出力する。
【００２３】
ここで、光ファイバ６には、希土類元素であるＥｒ元素が添加されている。そして、Ｅｒ元素は励起光Ｓｔにより励起される。励起されたＥｒ元素に所定波長の信号光Ｓ０が照射されると、増幅された信号光Ｓａｍｐが生成される。この光ファイバ６は所定の長さを有しており、コイル状に巻かれている。
【００２４】
励起光源６５は、例えば半導体レーザ（ＬＤ）であり、この光ファイバ６への励起光Ｓｔを出力する。
【００２５】
光分岐器７は、入力端子７ａ、第１出力端子７ｂ及び第２出力端子７ｃを有している。第１出力端子７ｂは、光ファイバ１０１ｆを介して出力コネクタ１３と光学的に結合されている。光分岐器７は、信号光Ｓａｍｐを入力端子７ａに入力して、出力信号光Ｓｏｕｔ及び分岐光Ｓｍ２に分岐し、出力信号光Ｓｏｕｔ及び分岐光Ｓｍ２をそれぞれ第１出力端子７ｂ及び第２出力端子７ｃから出力する。第１出力端子７ｂは、光ファイバ１０１ｆを介して出力コネクタ１３に光学的に結合されており、出力信号光Ｓｏｕｔを出力コネクタ１３を介して光伝送路へ提供する。第２出力端子７ｃは、光ファイバ１０１ｅを介して光電変換素子４１の入力端子に光学的に結合されており、分岐光Ｓｍ１を光電変換素子４１へ提供する。
【００２６】
光電変換素子４１は、例えばフォトダイオードであり、光ファイバ１０１ｅを通って入力された分岐光Ｓｍ２の強度に応じた電流に変換して第４光検出信号Ｓｇ４を生成する。光電変換素子４１は、生成された第４光検出信号Ｓｇ４を電流電圧変換回路４５へ出力する。
【００２７】
オフセット発生回路４３は、電流電圧変換回路４５の入力オフセット電圧の絶対値よりも大きな値のオフセット電圧Ｖｏｆｆ２を生成し、生成されたオフセット電圧Ｖｏｆｆ２を電流電圧変換回路４５へ出力する。
【００２８】
電流電圧変換回路４５は、光電変換素子４１からの第４光検出信号Ｓｇ４とオフセット発生回路４３からのオフセット電圧Ｖｏｆｆ２とを入力し、オフセット電圧Ｖｏｆｆ２のレベルを基準にして第４光検出信号Ｓｇ４に対して電流−電圧変換を行って第５光検出信号Ｓｇ５を生成する。電流電圧変換回路４５は、生成された第５光検出信号Ｓｇ５をＡＳＥ補正部５１に出力する。
【００２９】
モニタ回路４７は、電流電圧変換回路４５から出力された第４光検出信号Ｓｇ４をモニタすると共に、モニタされた第４光検出信号Ｓｇ４に対してアナログ−デジタル変換を行って第２デジタル信号を生成する。また、第２デジタル信号が所定値以下である場合にはデジタル信号ＯＵＴＬｍｏｎを、第２デジタル信号が所定値以上である場合にはデジタル信号ＯＵＴＨｍｏｎを上位システムへ出力する。
【００３０】
ＡＳＥ補正量設定部４９は、電圧源、抵抗を含んでおり、光ファイバ６で発生する自然放出増幅光に基づく予め設定された定数値ＰＡＳＥ２を決定する。ＡＳＥ補正量設定部４９は、その決定された定数値ＰＡＳＥ２をＡＳＥ補正部５１に出力する。
【００３１】
ＡＳＥ補正部５１は、ＡＳＥ補正量設定部４９から入力された定数値ＰＡＳＥ２に基づいて、電流電圧変換回路４５から入力された第５光検出信号Ｓｇ５に対するアナログ補正を行って第６光検出信号Ｓｇ６を生成し、生成された第６光検出信号Ｓｇ６をＧＡＩＮ補正部５３に出力する。
【００３２】
ＧＡＩＮ補正部５３は、第６光検出信号Ｓｇ６を入力して、外部からの利得補正値に基づいて第６光検出信号Ｓｇ6に対するアナログ補正を行って第７光検出信号Ｓｇ７を生成して、生成された第７光検出信号Ｓｇ７を利得制御部６１に出力する。
【００３３】
利得制御部６１は、ＡＳＥ補正部３１からの第３光検出信号Ｓｇ３とＧＡＩＮ補正部５３からの第７光検出信号Ｓｇ７とを入力して、第３光検出信号Ｓｇ３のパワーＰｉｎと第７光検出信号Ｓｇ７のパワーＰｏｕｔとで検出利得Ｇ０（＝Ｐｏｕｔ/Ｐｉｎ）を決定する。また、検出利得Ｇ０が予め設定された利得Ｇｓｅｔになるように定電流制御回路６３を制御する。
【００３４】
励起光源６５は、例えばレーザダイオードであり、利得制御部６１の制御を受けて定電流制御回路６３により入力された電流に応じた光パワーの励起光Ｓｔを光合波器５の第２入力端子５ｂに出力する。
【００３５】
以下、光増幅器１の動作を説明する。
【００３６】
まず、入力信号光Ｓｉｎが入力コネクタ１１及び光ファイバ１０１ａを通って第１入力端子３aに入力されと、入力信号光Ｓｉｎは光分岐器３において信号光Ｓ０と分岐光Ｓｍ１とに分岐される。信号光Ｓ０及び分岐光Ｓｍ１はそれぞれ、第１出力端子３ｂ及び第２出力端子３ｃに出力される。第２出力端子３ｃに出力された分岐光Ｓｍ１は、光ファイバ１０１ｃを通って光電変換素子２１において検出され、光電変換素子２１により分岐光Ｓｍ１の強度に応じた電流の第１光検出信号Ｓｇ１に変換される。変換された第１光検出信号Ｓｇ１は、オフセット発生回路２３によるオフセット電圧Ｖｏｆｆ１と共に電流電圧変換回路２５へ出力される。
【００３７】
電流電圧変換回路２５において、第１光検出信号Ｓｇ１はオフセット発生回路２３からのオフセット電圧Ｖｏｆｆ１のレベルを基準にして電流−電圧変換が行われ、第２光検出信号Ｓｇ２となる。その第２光検出信号Ｓｇ２は、ＡＳＥ補正部３１に出力される。ＡＳＥ補正部３１に出力された第２光検出信号Ｓｇ２は、ＡＳＥ補正部３１においてＡＳＥ補正量設定部２９からの定数値ＰＡＳＥ１に基づくアナログ補正が加わり、第３光検出信号Ｓｇ３となる。この第３光検出信号Ｓｇ３は、利得制御部６１に出力される。
【００３８】
一方、光分岐器３により分岐されて第１出力端子３ｂに入力された信号光Ｓ０は、励起光源６５からの励起光Ｓｔと共に光ファイバ６の一端に入力されて、光ファイバ６において増幅され、信号光Ｓａｍｐとなる。その増幅された信号光Ｓａｍｐは、光ファイバ６の他端より光分岐器７の入力端子７aへ出力される。信号光Ｓａｍｐは、光分岐器７において出力信号光Ｓｏｕｔと分岐光Ｓｍ２とに分岐される。分岐光Ｓｍ２は、光ファイバ１０１ｅを通って光電変換素子４１において検出され、光電変換素子４１により分岐光Ｓｍ２の強度に応じた電流の第４光検出信号Ｓｇ４に変換される。変換された第４光検出信号Ｓｇ４は、オフセット発生回路４３によるオフセット電圧Ｖｏｆｆ２と共に電流―電圧変換回路４５へ出力される。
【００３９】
第４光検出信号Ｓｇ４は、電流電圧変換回路４５においてオフセット発生回路４３からのオフセット電圧Ｖｏｆｆ２のレベルを基準にして電流−電圧変換が行われ、第５光検出信号Ｓｇ５となる。この第５光検出信号Ｓｇ５はＡＳＥ補正部５１に出力される。ＡＳＥ補正部５１に出力された第５光検出信号Ｓｇ５は、ＡＳＥ補正部５１においてＡＳＥ補正量設定部４９からの定数値ＰＡＳＥ２に基づくアナログ補正が加わり、第６光検出信号Ｓｇ６となる。この第６光検出信号Ｓｇ６は、ＧＡＩＮ補正部５３に出力される。
【００４０】
ＧＡＩＮ補正部５３に出力された第６光検出信号Ｓｇ６は、ＧＡＩＮ補正部５３において、外部からの利得補正値に基づくアナログ補正が加わり、第７光検出信号Ｓｇ７となり、この第７光検出信号Ｓｇ７は利得制御部６１に出力される。
【００４１】
利得制御部６１において、第３光検出信号Ｓｇ３のパワーＰｉｎと第７光検出信号Ｓｇ７のパワーＰｏｕｔとで検出利得Ｇ０（Ｐｏｕｔ/Ｐｉｎ）が決定される。また、検出利得Ｇ０が予め設定された利得Ｇｓｅｔになるように、利得制御部６１により定電流制御回路６３が制御される。利得制御部６１の制御を受けて定電流制御回路６３により入力された電流に応じた光パワーの励起光Ｓｔが、光合波器５の第２入力端子５ｂに出力される。
【００４２】
第２入力端子５ｂに入力された励起光Ｓｔが出力端子５ｃを通り光ファイバ６の一端に入力され、光ファイバ６に励起エネルギーが供給されると、光ファイバ６の光導波領域に添加されたＥｒは上位エネルギー準位へ励起される。励起されたＥｒ元素に所定波長の信号光Ｓ０が照射されると、増幅された信号光Ｓａｍｐが生成される。生成された信号光Ｓａｍｐは、光ファイバ１０１ｆ及び出力コネクタ１３を通って光伝送路に出力される。
【００４３】
本実施形態に係る光増幅器１では、入力信号光Ｓｉｎの一分岐光である分岐光Ｓｍ１に対応する第１光検出信号Ｓｇ１を電流−電圧変換して第２光検出信号Ｓｇ２を出力する第１電流電圧変換回路２５と、第２光検出信号Ｓｇ２を入力して光ファイバ６で発生する自然放出増幅光に基づくアナログ補正を加えて第３光検出信号Ｓｇ３を生成し、第３光検出信号Ｓｇ３を出力する第１ＡＳＥ補正部３１とを備える。また、出力信号光Ｓｏｕｔの一分岐光である分岐光Ｓｍ２に対応する第４光検出信号Ｓｇ４を電流−電圧変換して第５光検出信号Ｓｇ５を出力する第２電流電圧変換回路４５と、第５光検出信号Ｓｇ５を入力して光ファイバ６で発生する自然放出増幅光に基づくアナログ補正を加えて第６光検出信号Ｓｇ６を生成し、第６光検出信号Ｓｇ６を出力する第２ＡＳＥ補正部５３とを備える。従って、本実施形態に係る光増幅器１によれば、デジタル制御による演算を行うことなく、光増幅がアナログ回路で実現でき、高速な出力制御が実現できる。
【００４４】
また、第１及び第２電流電圧変換回路２５，４５から出力された第２及び第５の光検出信号Ｓｇ２，Ｓｇ５をモニタすると共に、モニタされた第２及び第５の光検出信号Ｓｇ２，Ｓｇ５に対してアナログ−デジタル変換を行って第１及び第２のデジタル信号を生成し、第１及び第２のデジタル信号を出力する第１及び第２モニタ回路２７，４７を備えている。これにより、上位システムとの通信及び自己の状態監視をデジタル回路で実現することができる。
【００４５】
また、第１及び第２の電流電圧変換回路２５，４５にオフセット電圧Ｖｏｆｆ１及びＶｏｆｆ２を出力する第１及び第２のオフセット発生回路２３，４３を更に備えている。これにより、電流電圧変換回路２５，４５で生成される電圧信号である第２及び第５の光検出信号Ｓｇ２，Ｓｇ５を所定の電圧範囲に収めることができる。その結果、後段の第１及び第２のＡＳＥ補正部３１，５１における処理を円滑化することができる。
【００４６】
本発明は、前述した実施形態に限定されるものではない。例えば、本実施形態においてでは、励起光源６５としてＬＤが用いられているが、固体レーザやガスレーザの発生装置であってもよい。また、Ｅｒが添加されている光ファイバ６がレーザ媒質として用いられているが、Ｙｂ等の他の希土類元素が添加されたものであってもよい。
【符号の説明】
【００４７】
１…光増幅器、２１，４１…光電変換素子、２５，４５…電流−電圧変換回路、２９，４９…ＡＳＥ補正部、６５…励起光源。
【図１】
2010199213.tif 000003